(57)【特許請求の範囲】
【請求項１】
測定対象の水が外側に接する投光面部、透光性を有する部材で前記投光面部に設けられた投光窓、前記投光面部の内側で前記投光窓に対応する位置に設けられた光源を含む投光部と、
前記投光面部に対向して設けられ、測定対象の水が外側に接する受光面部、透光性を有する部材で前記受光面部に設けられ、前記投光窓に対向する受光窓、前記受光面部の内側で前記受光窓に対応する位置に設けられたセンサを含む受光部と、
前記投光面部の内側に回転可能に支持され、前記光源から前記投光窓への投光経路を取り囲むように設けられた環状の部材であり、駆動力が伝達されて回転する投光部環状部材と、
前記投光面部の外側に回転可能に支持され、前記投光部環状部材との間に磁力による吸引力が作用する投光窓ワイパーと、を備える水質測定装置。
【請求項２】
請求項１に記載の水質測定装置において、前記投光窓ワイパーは、両端部において前記投光部環状部材との間に磁力による吸引力が作用し、前記投光窓ワイパーの両端部の間にワイピング部材を備える、水質測定装置。
【請求項３】
測定対象の水が外側に接する投光面部、透光性を有する部材で前記投光面部に設けられた投光窓、前記投光面部の内側で前記投光窓に対応する位置に設けられた光源を含む投光部と、
前記投光面部に対向して設けられ、測定対象の水が外側に接する受光面部、透光性を有する部材で前記受光面部に設けられ、前記投光窓に対向する受光窓、前記受光面部の内側で前記受光窓に対応する位置に設けられたセンサを含む受光部と、
前記受光面部の内側に回転可能に支持され、前記受光窓から前記センサへの受光経路を取り囲むように設けられた環状の部材であり、駆動力が伝達されて回転する受光部環状部材と、
前記受光面部の外側に回転可能に支持され、前記受光部環状部材との間に磁力による吸引力が作用する受光窓ワイパーと、を備える水質測定装置。
【請求項４】
請求項３に記載の水質測定装置において、前記受光窓ワイパーは、両端部において前記受光部環状部材との間に磁力による吸引力が作用し、前記受光窓ワイパーの両端部の間にワイピング部材を備える、水質測定装置。
【請求項５】
請求項１に記載の水質測定装置において、前記受光面部の内側に回転可能に支持され、前記受光窓から前記センサへの受光経路を取り囲むように設けられた環状の部材であり、駆動力が伝達されて回転する受光部環状部材と、
前記受光面部の外側に回転可能に支持され、前記受光部環状部材との間に磁力による吸引力が作用する受光窓ワイパーと、をさらに備える、ことを特徴とする水質測定装置。
【請求項６】
請求項５に記載の水質測定装置において、前記投光窓ワイパーは、両端部において前記投光部環状部材との間に磁力による吸引力が作用し、前記投光窓ワイパーの両端部の間にワイピング部材を備え、
前記受光窓ワイパーは、両端部において前記受光部環状部材との間に磁力による吸引力が作用し、前記受光窓ワイパーの両端部の間にワイピング部材を備える、水質測定装置。
【請求項７】
請求項１〜６のいずれかに記載の水質測定装置において、前記センサの受光レベルが一定の閾値以上のときだけ、その受光レベルから水質を測定する制御部をさらに備える、ことを特徴とする水質測定装置。
【発明の詳細な説明】
【技術分野】
【０００１】
本発明は、水質を測定する水の中で使用される浸漬型の水質測定装置に関する。
【背景技術】
【０００２】
河川水や湖水、工業用水等、用水処理や排水処理等の対象となる原水は、天候等で水質が大きく変動する場合がある。そのような原水の水質変動は、用水処理や排水処理を行った後の処理水の水質に大きく影響する。したがって用水処理や排水処理等において適切な水処理を行う上では、原水の水質管理が重要になる。
【０００３】
原水の水質管理において用いられる水質測定の方法としては、原水の吸光度を計測する方法が一般的である。具体的には、例えば紫外光の吸光度を計測することによって、原水の有機物の測定、硝酸イオン濃度の測定、色度分析等を行うことができる。また例えば可視光の吸光度を計測することによって、原水の懸濁濃度の測定等を行うことができる。
【０００４】
原水の吸光度を計測する水質測定装置としては、水質を測定する原水に浸漬した状態で使用される浸漬型の水質測定装置が公知である。このような水質測定装置は、原水に含まれる何らかの異物が検出部の表面に付着することによって、測定精度が低下し、適切な水質測定が行えなくなってしまう虞が生ずる。そのため一般的に浸漬型の水質測定装置には、検出部の表面に付着した異物をブラシやワイパー等で除去する洗浄機構が設けられている。
【０００５】
しかしこのような洗浄機構を備える水質測定装置は、水質測定装置の内側に設けたモータの駆動力で水質測定装置の外側に設けた洗浄機構を動作させる必要がある。この場合、例えば水質測定装置の内側から外側へ貫通する回転軸等でモータの駆動力を洗浄機構へ伝達する駆動力伝達機構を設けると、その駆動力伝達機構を介して水質測定装置の内部に原水が侵入することを防止する防水構造を設けなければならない。そして原水による侵食や経年劣化等によって防水構造の防水性が低下すると、水質測定装置の内部に原水が侵入して故障等が発生する虞がある。また高い水圧下で使用される場合には、その高い水圧下で防水性を確保できる大掛かりな防水構造が必要になるため、大幅なコスト増を招来する虞がある。
【０００６】
このような課題を解決することを目的とした従来技術としては、磁石の磁力による吸引力を利用した駆動力伝達構造を採用する水質測定装置が公知である。例えばプローブの表面に付着した異物を払拭するブラシと内部のモータとを磁気カップリングで連結する構造の水質測定装置が公知である（例えば特許文献１を参照）。また発光部から透明窓を介して原水中に光を投光し、原水中を透過した光を、発光部の透明窓に対向する透明窓を介して受光部で受光する水質測定装置が公知である。このような水質測定装置においては、装置内部側で磁石を往復動させることによって、原水側に設けられたワイパーを往復動させる機構を備える水質測定装置が公知である（例えば特許文献２を参照）。
【先行技術文献】
【特許文献】
【０００７】
【特許文献１】特開２００６−１９４６５９号公報
【特許文献２】実用新案登録第３１１４１１２号公報
【発明の概要】
【発明が解決しようとする課題】
【０００８】
しかしながら例えば上記の特許文献１に開示されている従来技術は、その構造上、発光部から原水中に光を投光し、原水を透過した光を対向する受光部で受光する構造の水質測定装置に採用することは困難である。また上記の特許文献２に開示されている水質測定装置は、その内部において、光源から透明窓への投光経路、透明窓からセンサへの受光経路を横切るように磁石が往復動する。そのため上記の特許文献２に開示されている水質測定装置は、透明窓と光源との間、透明窓とセンサとの間に一定以上の間隔を設ける必要があり、それによって投光部の投光効率及び受光部の受光効率が低下し、水質の測定精度が低下してしまう虞が生ずる。
【０００９】
このような状況に鑑み本発明はなされたものであり、その目的は、磁力による吸引力を利用して内側の駆動力を外側の洗浄機構へ伝達する構造を備える水質測定装置において、水質の測定精度を向上させることにある。
【課題を解決するための手段】
【００１０】
＜本発明の第１の態様＞
本発明の第１の態様は、測定対象の水が外側に接する投光面部、透光性を有する部材で前記投光面部に設けられた投光窓、前記投光面部の内側で前記投光窓に対応する位置に設けられた光源を含む投光部と、前記投光面部に対向して設けられ、測定対象の水が外側に接する受光面部、透光性を有する部材で前記受光面部に設けられ、前記投光窓に対向する受光窓、前記受光面部の内側で前記受光窓に対応する位置に設けられたセンサを含む受光部と、前記投光面部の内側に回転可能に支持され、前記光源から前記投光窓への投光経路を取り囲むように設けられた環状の部材であり、駆動力が伝達されて回転する投光部環状部材と、前記投光面部の外側に回転可能に支持され、前記投光部環状部材との間に磁力による吸引力が作用する投光窓ワイパーと、を備える水質測定装置である。
【００１１】
投光面部の内側に回転可能に支持された投光部環状部材と、投光面部の外側に回転可能に支持された投光窓ワイパーとの間には、磁力による吸引力が作用する。この磁力による吸引力の作用は、例えば投光部環状部材又は投光窓ワイパーのいずれか一方に磁石を設け、他方に磁石又は鉄等の強磁性体を設けることによって実現することができる。したがって駆動力が伝達されて投光部環状部材が回転すると、投光面部の外側に設けられた投光窓ワイパーは、その磁力による吸引力の作用によって、投光部環状部材に作用する回転駆動力が伝達されて回転する。それによって投光面部の外側において投光窓に付着した異物等が投光窓ワイパーで払拭されて除去される。
【００１２】
そして投光部環状部材は、光源から投光窓への投光経路を取り囲むように設けられた環状の部材である。そのため回転する投光部環状部材が光源から投光窓への投光経路を横切ることがない。したがって光源と投光窓との間に一定以上の間隔を設ける必要がないので、例えば投光窓に近接する位置に光源を設けることも可能になり、光源と投光窓との間の間隔を大幅に小さくすることができる。それによって投光部の投光効率を高めることができるので、水質の測定精度を向上させることができる。
【００１３】
これにより本発明の第１の態様によれば、磁力による吸引力を利用して内側の駆動力を外側の洗浄機構へ伝達する構造を備える水質測定装置において、水質の測定精度を向上させることができるという作用効果が得られる。
【００１４】
＜本発明の第２の態様＞
本発明の第２の態様は、測定対象の水が外側に接する投光面部、透光性を有する部材で前記投光面部に設けられた投光窓、前記投光面部の内側で前記投光窓に対応する位置に設けられた光源を含む投光部と、前記投光面部に対向して設けられ、測定対象の水が外側に接する受光面部、透光性を有する部材で前記受光面部に設けられ、前記投光窓に対向する受光窓、前記受光面部の内側で前記受光窓に対応する位置に設けられたセンサを含む受光部と、前記受光面部の内側に回転可能に支持され、前記受光窓から前記センサへの受光経路を取り囲むように設けられた環状の部材であり、駆動力が伝達されて回転する受光部環状部材と、前記受光面部の外側に回転可能に支持され、前記受光部環状部材との間に磁力による吸引力が作用する受光窓ワイパーと、を備える水質測定装置である。
【００１５】
受光面部の内側に回転可能に支持された受光部環状部材と、受光面部の外側に回転可能に支持された受光窓ワイパーとの間には、磁力による吸引力が作用する。この磁力による吸引力の作用は、例えば受光部環状部材又は受光窓ワイパーのいずれか一方に磁石を設け、他方に磁石又は鉄等の強磁性体を設けることによって実現することができる。したがって駆動力が伝達されて受光部環状部材が回転すると、受光面部の外側に設けられた受光窓ワイパーは、その磁力による吸引力の作用によって、受光部環状部材に作用する回転駆動力が伝達されて回転する。それによって受光面部の外側において受光窓に付着した異物等が受光窓ワイパーで払拭されて除去される。
【００１６】
そして受光部環状部材は、受光窓からセンサへの受光経路を取り囲むように設けられた環状の部材である。そのため回転する受光部環状部材が受光窓からセンサへの受光経路を横切ることがない。したがってセンサと受光窓との間に一定以上の間隔を設ける必要がないので、例えば受光窓に近接する位置にセンサを設けることも可能になり、センサと受光窓との間の間隔を大幅に小さくすることができる。それによって受光部の受光効率を高めることができるので、水質の測定精度を向上させることができる。
【００１７】
＜本発明の第３の態様＞
本発明の第３の態様は、前述した本発明の第１の態様において、前記受光面部の内側に回転可能に支持され、前記受光窓から前記センサへの受光経路を取り囲むように設けられた環状の部材であり、駆動力が伝達されて回転する受光部環状部材と、前記受光面部の外側に回転可能に支持され、前記受光部環状部材との間に磁力による吸引力が作用する受光窓ワイパーと、をさらに備える、ことを特徴とする水質測定装置である。
本発明の第３の態様によれば、前述した本発明の第１の態様で得られる作用効果に加えて、さらに前述した本発明の第２の態様で得られる作用効果を得ることができる。
【００１８】
＜本発明の第４の態様＞
本発明の第４の態様は、前述した本発明の第１〜第３の態様のいずれかにおいて、前記センサの受光レベルが一定の閾値以上のときだけ、その受光レベルから水質を測定する制御部をさらに備える、ことを特徴とする水質測定装置である。
【００１９】
投光窓ワイパーが回転している状態において、投光面部の投光窓が設けられた部分を投光窓ワイパーが通過するとき、つまり回転する投光窓ワイパーが投光窓を払拭しているときには、投光窓から受光窓への投光経路が投光窓ワイパーで遮断された状態となる。同様に、受光窓ワイパーが回転している状態において、受光面部の受光窓が設けられた部分を受光窓ワイパーが通過するとき、つまり回転する受光窓ワイパーが受光窓を払拭しているときには、投光窓から受光窓への投光経路が受光窓ワイパーで遮断された状態となる。このような状態においては、投光面部と受光面部との間にある水の水質を正確に測定することができなくなる。
【００２０】
しかしこのような状態のときは、センサの受光レベルが大きく低下することになる。したがって受光レベルが一定の閾値以上であるか否かによって、投光窓から受光窓への投光経路が投光窓ワイパー又は受光窓ワイパーで遮断された状態であるか否かを特定することができる。つまりセンサの受光レベルが一定の閾値以上のときだけ、その受光レベルから水質を測定することによって、回転する投光窓ワイパー又は受光窓ワイパーの影響を受けることなく、水質を正確に計測することができる。それによって例えば、投光窓ワイパー又は受光窓ワイパーを常時回転させた状態としても、その投光窓ワイパー又は受光窓ワイパーの回転位置を検出することなく、回転する投光窓ワイパー又は受光窓ワイパーに起因する誤測定を未然に防止して水質を正確に測定することができる。
【発明の効果】
【００２１】
本発明によれば、磁力による吸引力を利用して内側の駆動力を外側の洗浄機構へ伝達する構造を備える水質測定装置において、水質の測定精度を向上させることができる。
【図面の簡単な説明】
【００２２】
【図１】本発明に係る水質測定装置の外観を図示した正面図。
【図２】本発明に係る水質測定装置の要部の断面を図示した正面図。
【図３】本発明に係る水質測定装置の要部の断面を図示した斜視図。
【図４】本発明に係る水質測定装置の要部の断面を図示した斜視図。
【図５】環状構造体の支持構造を図示した分解斜視図。
【図６】環状構造体の構造を図示した分解斜視図。
【図７】環状構造体の構造を図示した分解斜視図。
【図８】ワイパーユニットの斜視図。
【発明を実施するための形態】
【００２３】
以下、本発明の実施の形態について図面を参照しながら説明する。
【００２４】
＜水質測定装置の全体構成＞
本発明に係る水質測定装置の全体構成について、図１及び図２を参照しながら説明する。
図１は、本発明に係る水質測定装置の外観を図示した正面図である。図２は、本発明に係る水質測定装置の要部の断面を図示した正面図である。
【００２５】
本発明に係る水質測定装置は、光源ケース１０、センサケース２０、光路セル３０、ワイパーユニット４０及びケーブルコネクタ５０を備える。
【００２６】
光源ケース１０は、有底円筒形状の金属部材であり、開口部が光路セル３０に連結されている。光源ケース１０と光路セル３０との連結構造は、オーリング１１による水密構造になっている。光源ケース１０の内部には、光源ユニット１２、光源取り付け台１３が設けられている。光源ユニット１２は、光源及び光源の光学系を含むユニットである。光源取り付け台１３は、光源ユニット１２の光源が投光面部３１の内側で投光窓３４に対応する位置に配置されるように、光源ユニット１２を位置決めして支持する部材である。
【００２７】
センサケース２０は、円筒形状の金属部材であり、一端側が光路セル３０に連結され、外部装置と水質測定装置とをケーブルを介して接続するケーブルコネクタ５０が他端側に取り付けられている。センサケース２０と光路セル３０との連結構造は、オーリング２１による水密構造になっている。またセンサケース２０とケーブルコネクタ５０との連結構造は、オーリング２２による水密構造になっている。センサケース２０の内部には、センサ取り付け台２３、支柱２４、基板支持板２５が設けられている。センサ取り付け台２３は、センサユニット（図示せず）のセンサが受光面部３２の内側で受光窓３５に対応する位置に配置されるように、センサユニットを位置決めして支持する部材である。支柱２４は、センサケース２０の内部の内部構造を支える部材である。基板支持板２５は、回路基板（図示せず）を支持する部材である。
【００２８】
光路セル３０は、投光面部３１、受光面部３２、基部３３、吊りボルト３６を含む金属部材である。投光面部３１は、透光性を有する部材を用いて構成された投光窓３４が設けられており、測定対象の水が外側に接する。受光面部３２は、投光面部３１に対向して設けられ、測定対象の水が外側に接する。受光面部３２には、投光窓３４に対向する位置に、透光性を有する部材を用いて構成された受光窓３５が設けられている。基部３３の上面には、後述するワイパーユニット４０が設けられている。吊りボルト３６は、受光面部３２の頂部に設けられており、測定対象の水の中に水質測定装置を浸漬して吊持する際に用いられる。
【００２９】
投光面部３１の内側には、光源ユニットの光源から投光窓３４への投光経路を取り囲むように設けられた「投光部環状部材」としての環状構造体７０が回転可能に支持されている。同様に、受光面部３２の内側には、受光窓３５からセンサユニット（図示せず）のセンサへの受光経路を取り囲むように設けられた「受光部環状部材」としての環状構造体７０が回転可能に支持されている。
尚、投光面部３１の内側に設けられた環状構造体７０と受光面部３２の内側に設けられた環状構造体７０は、全く同じ構造の部材であるため、より発明の理解を容易にする観点から、図２においては投光面部３１の内側の環状構造体７０は図示を省略している。後述する図３及び図４についても同様である。
【００３０】
本発明に係る水質測定装置は、さらにモータ６１、カップリング６２、ベアリング軸６３、第１ギア６４、第２ギア６５を備えている。モータ６１は、センサケース２０の内部に設けられており、ケーブルコネクタ５０を介して供給される電力で回転する電動機である。カップリング６２は、センサケース２０の内部に回転可能に支持されて設けられており、モータ６１の回転軸とベアリング軸６３とを回転伝達可能に連結している。ベアリング軸６３は、センサケース２０の内部から光路セル３０の基部３３を通じて光源ケース１０の内部まで貫通して設けられている。
【００３１】
第１ギア６４は、センサケース２０と光路セル３０との境界部分に設けられており、ベアリング軸６３に一体に取り付けられている。第１ギア６４は、受光面部３２の内側に設けられた環状構造体７０の環状ギア７１と噛合している。第２ギア６５は、光源ケース１０と光路セル３０との境界部分に設けられており、ベアリング軸６３に一体に取り付けられている。第２ギア６５は、投光面部３１の内側に設けられた環状構造体７０の環状ギア７１と噛合している。したがって投光面部３１の内側に設けられた環状構造体７０、及び受光面部３２の内側に設けられた環状構造体７０は、モータ６１の回転駆動力が伝達されて回転する。
【００３２】
＜光路セル３０の構成＞
光路セル３０の構成について、図３〜図５を参照しながら説明する。
図３及び図４は、本発明に係る水質測定装置の要部の断面を図示した斜視図である。図５は、環状構造体７０の支持構造を図示した分解斜視図である。
【００３３】
投光面部３１の内側には、円形凸部３１１が形成されている。環状構造体７０は、円形凸部３１１と投光面部３１の内側の外周面３１２とで形成される環状の空間に配置されている。円形凸部３１１には、３つの雌ネジ孔３１５が形成されている。環状構造体７０は、この３つの雌ネジ孔３１５を介して円形凸部３１１に取り付けられた３つの支持構造体６６によって回転可能に支持される。
【００３４】
より具体的には支持構造体６６は、雄ネジ６６１、フランジ付きベアリング６６２、ワッシャ６６３を含む。フランジ付きベアリング６６２は、雌ネジ孔３１５に螺合した雄ネジ６６１によって円形凸部３１１に回転可能に支持されている。環状構造体７０は、環状ギア７１の内周面に形成された周溝７１２に３つのフランジ付きベアリング６６２のフランジ部分が係合した状態で、その３つのフランジ付きベアリング６６２に支持されている。
【００３５】
円形凸部３１１には、投光面部３１の外側へ貫通する貫通孔３１３が形成されており、この貫通孔３１３に投光窓３４が設けられている。投光窓３４は、外側から順に、オーリング、合成石英ガラスで形成された透光性を有する窓部材、樹脂ワッシャ、支持リングが配置されて構成されている。投光面部３１の内側には、第２ギア６５に対応する部分にギア収容部３１４が形成されている。
【００３６】
受光面部３２の内側には、円形凸部３２１が形成されている。環状構造体７０は、円形凸部３２１と受光面部３２の内側の外周面３２２とで形成される環状の空間に配置されている。円形凸部３２１には、３つの雌ネジ孔３２５が形成されている。環状構造体７０は、投光面部３１と同様に、この３つの雌ネジ孔３２５を介して円形凸部３２１に取り付けられた３つの支持構造体６６によって回転可能に支持される。
【００３７】
円形凸部３２１には、受光面部３２の外側へ貫通する貫通孔３２３が形成されており、この貫通孔３２３に受光窓３５が設けられている。受光窓３５は、投光窓３４と同様に外側から順に、オーリング、合成石英ガラスで形成された透光性を有する窓部材、樹脂ワッシャ、支持リングが配置されて構成されている。受光面部３２の内側には、第１ギア６４に対応する部分にギア収容部３２４が形成されている。
【００３８】
＜環状構造体７０の構成＞
環状構造体７０の構成について、図６及び図７を参照しながら説明する。
図６及び図７は、環状構造体７０の構造を図示した分解斜視図である。
【００３９】
環状構造体７０は、環状ギア７１、磁石取り付けリング７２、４つの磁石７３、３つの小球体７４、３つの皿ネジ７５を含む。
【００４０】
環状ギア７１は、環状の部材であり、複数の歯が等間隔に外周面７１１に形成され、支持構造体６６のフランジ付きベアリング６６２が係合する周溝７１２が内周面に形成されている。また環状ギア７１は、一面側から他面側へ貫通する３つの雌ネジ孔７１３が形成されており、一面側には環状の凹部７１４が形成されている。
【００４１】
磁石取り付けリング７２は、環状の部材であり、環状ギア７１の凹部７１４に係合する円形凸部７２１が一面側に形成されている。また磁石取り付けリング７２の一面側には、４つの円形凹部７２２が形成されている。この４つの円形凹部７２２は、約１８０度位相をずらした位置に２つずつ形成されている。磁石取り付けリング７２の他面側には、３つの円形凹部７２３が形成されている。この３つの円形凹部７２３は、約１２０度位相をずらした位置に１つずつ形成されている。さらに磁石取り付けリング７２は、環状ギア７１の３つの雌ネジ孔７１３に対応する部分に、一面側から他面側へ貫通する３つの貫通孔７２４が形成されている。
【００４２】
４つの磁石７３は、円柱体形状の永久磁石であり、極性が同方向となる向きで、磁石取り付けリング７２の４つの円形凹部７２２の中にそれぞれ設けられる。３つ小球体７４は、磁石取り付けリング７２の３つの円形凹部７２３の中に、一部が突出した状態でそれぞれ設けられる。この３つ小球体７４は、投光面部３１の内側又は受光面部３２の内側に接して従動回転し、環状構造体７０の回転をスムーズにする役割を果たす。３つの皿ネジ７５は、雄ネジであり、磁石取り付けリング７２の貫通孔７２４を通じて環状ギア７１の雌ネジ孔７１３に螺合して、環状ギア７１と磁石取り付けリング７２とを締結する。
【００４３】
＜ワイパーユニット４０の構成＞
ワイパーユニット４０の構成について、図８を参照しながら説明する。
図８は、ワイパーユニット４０の斜視図である。
【００４４】
ワイパーユニット４０は、投光窓ワイパー４１、受光窓ワイパー４２、ワイパー支持部４３を含む。
【００４５】
投光窓ワイパー４１は、投光面部３１の外側に回転可能に支持され、環状構造体７０との間に磁力による吸引力が作用する。より具体的には投光窓ワイパー４１は、環状構造体７０の磁石７３の回転軌跡に対応する両端部に磁気結合部４１１が設けられている。この磁気結合部４１１は、環状構造体７０の磁石７３との間で磁力による吸引力が作用するように鉄等の強磁性体で形成されている。また投光窓ワイパー４１は、両端部の磁気結合部４１１の間に２つのワイピング部材４１２が設けられている。ワイピング部材４１２は、投光窓３４又は受光窓３５に摺接して異物を払拭するための部材であり、例えばシリコン等のゴム材やポリエチレン（polyethylene：ＰＥ）、ポリプロピレン（polypropylene：ＰＰ）等の硬質樹脂で形成するのが好ましい。
【００４６】
受光窓ワイパー４２は、受光面部３２の外側に回転可能に支持され、環状構造体７０との間に磁力による吸引力が作用する。より具体的には受光窓ワイパー４２は、投光窓ワイパー４１と同様に、環状構造体７０の磁石７３の回転軌跡に対応する両端部に磁気結合部４２１が設けられており、両端部の磁気結合部４２１の間には、２つのワイピング部材４２２が設けられている。
【００４７】
ワイパー支持部４３は、軸部４３１、取り付けフランジ部４３２を含む。軸部４３１は、一端側が投光窓ワイパー４１を回転可能に軸支し、他端側が受光窓ワイパー４２を回転可能に軸支する。つまりワイパー支持部４３は、投光窓ワイパー４１と受光窓ワイパー４２を個々に独立して回転可能に軸支する。取り付けフランジ部４３２には、貫通孔４３３が形成されている。他方、光路セル３０の基部３３の上面には、取り付けフランジ部４３２の貫通孔４３３に対応する部分に雌ネジ孔３３１が形成されている。ワイパー支持部４３は、取り付けフランジ部４３２の貫通孔４３３を通じて雌ネジ孔３３１に螺合する雄ネジ（図示せず）によって、光路セル３０の基部３３の上面に固定される。
尚、投光窓ワイパー４１又は受光窓ワイパー４２と環状構造体７０との磁気結合は、例えば環状構造体７０に鉄等の強磁性体を設け、投光窓ワイパー４１又は受光窓ワイパー４２に永久磁石を設けて実現してもよいし、両方に永久磁石を設けて実現してもよい。
【００４８】
＜本発明に係る水質測定装置の作用効果＞
以上説明した構成の本発明に係る水質測定装置は、前述したように、投光面部３１の内側に回転可能に支持された環状構造体７０と、投光面部３１の外側に回転可能に支持された投光窓ワイパー４１との間に磁力による吸引力が作用する。したがってモータ６１の回転駆動力が伝達されて環状構造体７０が回転すると、投光面部３１の外側に設けられた投光窓ワイパー４１は、環状構造体７０に作用する回転駆動力が伝達されて回転する。それによって投光面部３１の外側において投光窓３４に付着した異物等が投光窓ワイパー４１のワイピング部材４１２で払拭されて除去される。
【００４９】
そして環状構造体７０は、投光面部３１において、光源から投光窓３４への投光経路を取り囲むように設けられた環状の部材である。そのため回転する環状構造体７０が光源から投光窓３４への投光経路を横切ることがない。したがって光源と投光窓３４との間に一定以上の間隔を設ける必要がないので、例えば投光窓３４に近接する位置に光源を設けることも可能になり、光源と投光窓３４との間の間隔を大幅に小さくすることができる。それによって投光面部３１の投光効率を高めることができるので、水質の測定精度を向上させることができる。
【００５０】
同様に、受光面部３２の内側に回転可能に支持された環状構造体７０と、受光面部３２の外側に回転可能に支持された受光窓ワイパー４２との間には、磁力による吸引力が作用する。したがってモータ６１の回転駆動力が伝達されて環状構造体７０が回転すると、受光面部３２の外側に設けられた受光窓ワイパー４２は、環状構造体７０に作用する回転駆動力が伝達されて回転する。それによって受光面部３２の外側において受光窓３５に付着した異物等が受光窓ワイパー４２のワイピング部材４２２で払拭されて除去される。
【００５１】
そして環状構造体７０は、受光面部３２において、受光窓３５からセンサへの受光経路を取り囲むように設けられた環状の部材である。そのため回転する環状構造体７０が受光窓３５からセンサへの受光経路を横切ることがない。したがってセンサと受光窓３５との間に一定以上の間隔を設ける必要がないので、例えば受光窓３５に近接する位置にセンサを設けることも可能になり、センサと受光窓３５との間の間隔を大幅に小さくすることができる。それによって受光面部３２の受光効率を高めることができるので、水質の測定精度を向上させることができる。
【００５２】
＜他の実施例、変形例＞
本発明は、上記説明した実施例に特に限定されるものではなく、特許請求の範囲に記載された発明の範囲内で種々の変形が可能であることは言うまでもない。
【００５３】
例えば上記説明した実施例において、投光面部３１の環状構造体７０と投光窓ワイパー４１、又は受光面部３２の環状構造体７０と受光窓ワイパー４２、いずれか一方のみを設ける構成としてもよく、そのような構成においても本発明の作用効果が得られる。
【００５４】
また例えば上記説明した実施例においては、モータ６１を常時回転させて投光窓ワイパー４１及び受光窓ワイパー４２が常時回転するようにしてよい。この場合、受光面部３２の内側に設けられたセンサの受光レベルが一定の閾値以上のときだけ、その受光レベルから水質を測定する制御部（図示せず）を設けるのが好ましい。それによって回転する投光窓ワイパー４１又は受光窓ワイパー４２の影響を受けることなく、水質を正確に計測することができる。それによって例えば、投光窓ワイパー４１又は受光窓ワイパー４２の回転位置を検出することなく、回転する投光窓ワイパー４１又は受光窓ワイパー４２に起因する誤測定を未然に防止して水質を正確に測定することができる。このような制御部は、例えばセンサケース２０の内部の回路基板（図示せず）に実装してもよいし、水質測定装置の出力信号を処理する外部装置として構成してもよい。
【符号の説明】
【００５５】
１０  光源ケース
２０  センサケース
３０  光路セル
３１  投光面部
３２  受光面部
３４  投光窓
３５  受光窓
４０  ワイパーユニット
４１  投光窓ワイパー
４２  受光窓ワイパー
７０  環状構造体
７１  環状ギア
７２  磁石取り付けリング
７３  磁石
【図１】
0005947591.tif 000002
【図２】
0005947591.tif 000003
【図３】
0005947591.tif 000004
【図４】
0005947591.tif 000005
【図５】
0005947591.tif 000006
【図６】
0005947591.tif 000007
【図７】
0005947591.tif 000008
【図８】
0005947591.tif 000009